(57)【特許請求の範囲】
【請求項１】
分電盤のキャビネット内部に取り付けられる，主開閉器ならびに分岐開閉器などの内部機器を取付板に取り付けた状態でユニット化した内器ユニットであって，
複数の内部機器を並設して所定位置に取付可能なように，所定の間隔で設けられた内部機器を取り付ける第一取付部を有する内部機器取付板と，
前記内部機器に電力を供給するために該内部機器と電気的に接続される複数本の母線と，
前記内部機器取付板上において，前記母線を所定位置で支持するために該母線の一端部が取り付けられる第一の母線接続端子台と，
該第一の母線接続端子台とは分離して設けられ，該母線の他端部が取り付けられる第二の母線接続端子台とを備えるとともに，
前記内部機器取付板には，複数設けられた前記第一取付部に対応した間隔で前記第一の母線接続端子台及び前記第二の母線接続端子台を取り付ける第二取付部を設け，
前記第二取付部は，内部機器取付板に穿設された孔部により構成され，
前記第一の母線接続端子台及び第二の母線接続端子台には，略鉤状に突出形成された引掛部が設けられ，
複数設けられた前記孔部に対して選択的に，前記引掛部を係合させることにより，前記第一の母線接続端子台及び第二の母線接続端子台が前記内部機器取付板に取り付けられることを特徴とする分電盤の内器ユニット。
【請求項２】
前記第一の母線接続端子台に設けられた略鉤状の引掛部と，前記第二の母線接続端子台に設けられた略鉤状の引掛部とは，該略鉤状の引掛部の開口方向が，互いに向かい合う方向，もしくは，互いに反対の方向に配置されたことを特徴とする請求項１記載の分電盤の内器ユニット。
【発明の詳細な説明】
【技術分野】
【０００１】
本発明は、分電盤に組み込んで用いられる内器ユニットに関するものである。
【背景技術】
【０００２】
従来、分電盤に組み込んで用いられる内器ユニットは，特許文献１の図１１−ａで示されたように，樹脂材料など絶縁部材で形成された導体の設置台（２４）に，母線である導体（１１，１２，１３），絶縁ブロック部材（２１）を載置し，同じく特許文献１の図５で示されたように，分岐ブレーカ取付板（２５）に，前記導体の設置台，ならびに，分岐ブレーカ（１４，１５）を取り付けた状態でユニット化されて構成されていた。
【０００３】
【特許文献１】特開２００２−１３５９１２号  段落番号「００２５」，「００３１」，図５，図１１−ａ
【発明の開示】
【発明が解決しようとする課題】
【０００４】
しかしながら，分電盤を製造するにあたり，昨今の住宅事情，例えば住宅のオール電化や，宅内電気機器の多様化，また，寒冷地などでの蓄熱設備などの増加に伴う専用回路化など，分岐開閉器の個数や定格容量の増減，主開閉器の定格電流の増減に伴う，仕様変更や回路変更が多様化し，即ち，標準仕様以外の特別仕様が増加し，それらの仕様変更に対応するためには，前記導体の設置台や母線の多数の品揃えが必要となり，設計コスト，部品在庫量の過剰／不足に対する部品管理コスト，また，ユニットの組み替え作業に伴う組立コストなど，種々のコストが増大し，結果的に，製造コストが増大してしまうという課題があった。
【０００５】
そこで，本発明は，分岐開閉器の個数や定格容量の増減，主開閉器の定格電流の増減に伴う，仕様変更や回路変更が多様化しても，それらの仕様変更に迅速に対応できるとともに，信頼性が高く，しかも，製造コストを低減することができる分電盤の内器ユニット構造を提供することを目的としている。
【課題を解決するための手段】
【０００６】
上述の目的を達成するために，本発明の請求項１では，分電盤のキャビネット内部に取り付けられる，主開閉器ならびに分岐開閉器などの内部機器を取付板に取り付けた状態でユニット化した内器ユニットであって，複数の内部機器を並設して所定位置に取付可能なように，所定の間隔で設けられた内部機器を取り付ける第一取付部を有する内部機器取付板と，前記内部機器に電力を供給するために該内部機器と電気的に接続される複数本の母線と，前記内部機器取付板上において，前記母線を所定位置で支持するために該母線の一端部が取り付けられる第一の母線接続端子台と，該第一の母線接続端子台とは分離して設けられ，該母線の他端部が取り付けられる第二の母線接続端子台とを備えるとともに，前記内部機器取付板には，複数設けられた前記第一取付部に対応した間隔で前記第一の母線接続端子台及び前記第二の母線接続端子台を取り付ける第二取付部を設け，前記第二取付部は，内部機器取付板に穿設された孔部により構成され，前記第一の母線接続端子台及び第二の母線接続端子台には，略鉤状に突出形成された引掛部が設けられ，複数設けられた前記孔部に対して選択的に，前記引掛部を係合させることにより，前記第一の母線接続端子台及び第二の母線接続端子台が前記内部機器取付板に取り付けられたことを特徴として分電盤の内器ユニットを提供したものである。
【０００７】
このような構成によれば，分岐開閉器の個数や定格容量の増減，主開閉器の定格電流の増減に伴い，仕様変更や回路変更が発生しても，それぞれが分離して設けられた第一の母線接続端子台と第二の母線接続端子台とを，前記分岐開閉器の個数などに応じて，適宜，前記内部機器取付板に設けられた第二取付部に取り付けて構成することができ，前記導体の設置台を，想定される仕様や回路変更分だけ予め保有しておく必要が無く，迅速に種々の仕様や回路に応じた構成とすることができる。
【０００８】
削除
【０００９】
また，前述したような仕様変更や回路変更時に，内部機器取付板に対して，母線接続端子台を容易に着脱可能な状態で構成することができる。
【００１０】
また，前記第一の母線接続端子台に設けられた略鉤状の引掛部と，前記第二の母線接続端子台に設けられた略鉤状の引掛部とは，該略鉤状の引掛部の開口方向が，互いに向かい合う方向，もしくは，互いに反対の方向に配置されたことを特徴として電磁石装置を提供してもよい。
【００１１】
これにより，前述したような仕様変更や回路変更時に，内部機器取付板に対して，第一及び第二の母線接続端子台を容易に着脱可能でありながらも，該第一及び第二の母線接続端子台に母線を取り付けた状態では，内器ユニット組立て時や保管時に，一方の前記母線接続端子台の引掛を外す方向の力を受けた場合においても，他方の引掛部は，より引掛かる方向に力を受けるため前記内部機器取付板から外れることがなく，確実な取り付けが行えるものである。
【発明の効果】
【００１２】
本件の発明によれば、分岐開閉器の個数や定格容量の増減，主開閉器の定格電流の増減に伴う，仕様変更や回路変更が多様化しても，それらの仕様変更に迅速に対応できるとともに，信頼性が高く，しかも，製造コストを低減することができる分電盤の内器ユニット構造を提供することができる。
【発明を実施するための最良の形態】
【００１３】
以下，本発明の実施の形態について，図面を用いて詳細に説明する。
【００１４】
図１乃至図５は，本発明における第一の実施形態を示したものである。最初に本発明の内器ユニットの構造について説明を行う。
【００１５】
本発明の内器ユニットを図１の１００にて示している。該内器ユニット１００は，分岐開閉器１０５などの内部機器を内部機器取付板１０１に取り付けた状態でユニット化したものであり，該内器ユニット１００は，分電盤を構成するキャビネット内部に取り付けられて使用される。
【００１６】
前記内器ユニット１００は，前記内部機器である分岐開閉器１０５を取り付ける内部機器取付板１０１と，該内部機器取付板１０１に取り付けられた前記分岐開閉器１０５に電力を供給するために該分岐開閉器１０５と各相毎に電気的に接続される複数本の母線１０２ａ，１０２ｂと，該母線１０２ａ，１０２ｂを，前記内部機器取付板上にて所定位置にて支持するために，該母線の一端部が取り付けられる第一の母線接続端子台１０３と，該第一の母線接続端子台１０３とは分離して設けられ，該母線の他端部が取り付けられる第二の母線接続端子台１０４とが備えられている。
【００１７】
次に，図２に示した内部機器取付板１０１について説明を行う。該内部機器取付板１０１には，内部機器取付部１０１０ａ及び母線接続端子台取付部１０１０ｂが設けられており，該内部機器取付板１０１の周縁部には，前記キャビネットに内器ユニットを取り付けるための取付部となる孔１０１３ａ〜１０１４ｂが設けられている。
【００１８】
また，内部機器取付部１０１０ａには，前記分岐開閉器１０５を並設して所定位置に取付可能なように所定の間隔で設けられた第一取付部１０１１が設けられ，母線接続端子台取付部１０１０ｂには，前記母線接続端子台を所定位置に取付可能なように該第一取付部１０１１と対応した間隔で複数設けられた第二取付部１０１２とが設けられている。なお前記対応した間隔とは，前記第一取付部１０１１と同等の間隔という意味で，例えば前記分岐開閉器１０５の並設個数を変化させた場合に，該変化させた分岐開閉器の並設個数分の分岐開閉器の幅方向の長さだけ前記第二の母線接続端子台１０４を移設することにより，適切な場所に取付を行うことができる。また，後述するが，主開閉器の容量を変更し，該主開閉器の筐体外形の大きさが大きくなった場合など，前記第一の母線接続端子台１０３を前記第二取付部１０１２の間隔毎に適宜移設することにより，配線スペースの確保を行え，作業性よく配線作業を行うことができる。
【００１９】
前記第一取付部１０１１は，前記分岐開閉器１０５を並設させる間隔毎（略分岐開閉器１０５の並設方向の長さ毎）に設けられており，前記分岐開閉器１０５の底面に設けられた凹部（図示しない）に係合させることができるよう前記内部機器取付板１０１から，略鉤状に突出して構成されている。
【００２０】
なお，図中１０１１ｂは，前記分岐開閉器１０５を取り付ける際の位置決めのために補助的に用いられるガイド部であり，前記内部機器取付板１０１から突出して構成されている。また，該ガイド部１０１１ｂについても，前記第一取付部１０１１同様に，前記分岐開閉器１０５を並設させる間隔毎に設けられている。
【００２１】
前記第二取付部１０１２は，前記第一取付部１０１１に取り付けた分岐開閉器１０５に対応した位置に前述した分岐開閉器１０５を並設させる間隔毎に設けられており，後述する母線接続端子台に形成した引掛部と係合するよう，内部機器取付板１０１に穿設された孔部で構成されている。
【００２２】
次に，図３で示した第一の母線接続端子台１０３について説明を行う。該第一の母線接続端子台１０３には，前記内部機器取付板１０１に設けられた第二取付部１０１２に係合可能に設けられた略鉤状に突出形成された引掛部１０３１と，一方の相の母線１０２ａを支持する母線支持部１０３２ａと，他方の相の母線１０２ｂを支持する母線支持部１０３２ｂと，それぞれの母線を主開閉器側に接続するための接続電線／接続バーとの相互接続部１０３３ａ，１０３３ｂが形成されている。なお，前記引掛部１０３１は，前記内部機器取付板１０１に確実に取り付けが行えるよう，図２中１０１２ａ，１０１２ａ’に対応するよう，図示された位置のほか，もう一箇所設けられている。
【００２３】
前記相互接続部１０３３ａと１０３３ｂとの前記内部機器取付板１０１からの高さは同じに形成されており，各々の相互接続部の間には，相間の絶縁を行うために絶縁壁１０３４が設けられている。また，前記母線支持部１０３２ａ，１０３２ｂは，前記相互接続部からみて，各相で高さを変えて形成している。それぞれの母線支持部の高さは，後述する各相の母線を取付したときに，分岐開閉器１０５が適切に接続できるような高さに合わせて構成している。また，前記母線支持部には，母線をねじ止めできるように，ねじを螺着するための穴部が設けられている。
【００２４】
図５には，前記母線１０２を示している。該母線１０２は，その一端に，主開閉器側に接続するための接続電線／接続バーと接続するための導体接続部１０２１を設けており，他方には，該分岐開閉器１０５を前記内部機器取付板１０１に並設する際の取付間隔に対応するように，前記分岐開閉器１０５と電気的に接続するための分岐線１０２２を設けている。
【００２５】
分岐線１０２２が設けられている分岐線構成部１０２５と，前記導体接続部１０２１は，前記内部機器取付板１０１から見て高さを変えて構成している。これは，分岐開閉器１０５の電源端子が，各相で高さを変えて構成されていることに依存している。なお，該母線１０２は各相の母線１０２ａ，１０２ｂに共用でき，図中の状態が母線１０２ｂとした場合に，前記導体接続部１０２１から分岐線１０２２の方向を軸として１８０度回転させた状態で使用することにより母線１０２ａとして使用することができるよう，前述の分岐線構成部１０２５と前記導体接続部１０２１との高さの差は，分岐開閉器１０５の各相の電源端子間の距離の略半分に形成している。
【００２６】
また，母線１０２には，該母線を前記第一の母線接続端子台１０３に固定するためのねじ止め用孔１０２３と，後述する第二の母線接続端子台に固定するためのねじ止め用孔１０２４とを設けている。
【００２７】
次に，図４で示した第二の母線接続端子台１０４について説明を行う。該第二の母線接続端子台１０４には，前記内部機器取付板１０１に設けられた第二取付部１０１２に係合可能に設けられた略鉤状に突出形成された引掛部１０４１と，一方の相の母線１０２ａを支持する母線支持部１０４２ａと，他方の相の母線１０２ｂを支持する母線支持部１０４２ｂとが形成されている。なお，前記引掛部１０４１は，前記内部機器取付板１０１に確実に取り付けが行えるよう，図２中１０１２に対応するよう，図示された位置のほかもう一箇所設けられている。
【００２８】
また，前記第二の母線接続端子台１０４と前記第一の母線接続端子台１０３を前記内部機器取付板１０１に取り付けた状態において，前記母線支持部１０４２ａは，前記母線支持部１０３２ａと同じ高さになるよう，また，前記母線支持部１０４２ｂは，前記母線支持部１０３２ｂと同じ高さになるよう高さを変えて形成されている。これにより，前記母線１０２を支持した場合に，母線が前記内部機器取付板１０１に対して水平に保たれ，また，各相の母線間の絶縁を保つことができるようになっている。
【００２９】
また，前記母線支持部１０４２ａ，１０４２ｂには，前記母線をねじ止めできるように，ねじを螺着するための穴部が設けられている。
【００３０】
次に，内器ユニット１００の組立てについて説明を行う。
【００３１】
まず，内部機器取付板１０１に，第一の母線接続端子台１０３を取り付ける。このとき，該第一の母線接続端子台１０３に形成された引掛部１０３１を，前記内部機器取付板１０１に設けられた第二取付部１０１２に差込み，該引掛部１０３と第二取付部１０１２が互いに係合する方向にスライドさせることにより位置が仮固定される。
【００３２】
次に，内部機器取付板１０１に，第二の母線接続端子台１０４を取り付ける。このとき，該第二の母線接続端子台１０４に形成された引掛部１０４１を，前記内部機器取付板１０１に設けられた第二取付部１０１２に差込，該引掛部１０４と第二取付部１０１２が互いに係合する方向にスライドさせることにより位置が仮固定される。なお，前記第一及び第二の母線接続端子台の距離は，必要な分岐開閉器１０５の個数によって適宜増減させる。
【００３３】
次に，母線１０２を取り付ける。このとき，先に，第一の母線接続端子台１０３に設けられた相互接続部１０３３ａ，１０３３ｂには，主開閉器側に接続するための接続電線／接続バーと前記母線とを互いに接続させるためのナットを配置しておく。
【００３４】
そして，前記内部機器取付板１０１から見て，高さが低い側に取り付けられる母線，この場合には，図１における１０２ａの母線を先に取り付け，続いて，１０２ｂの母線を取り付け，ねじにより，前記第一の母線接続端子台及び第二の母線接続端子台に設けられたねじ止め用の穴にねじ止め固定する。
【００３５】
この状態で，前記第一及び第二の母線接続端子台１０３，１０４は，それぞれ内部機器取付板１０１に引掛ることにより位置が固定されており，互いの引掛部１０３１，１０４１は，該引掛部の開口方向が，互いに向かい合う方向に取り付けされているため，どちらかの母線接続端子台が前記母線接続端子台の引掛を外す方向の力を受けた場合においても，片方の引掛部は，より引掛かる方向に力を受けるため前記内部機器取付板から外れることがなく，確実な取り付けが行え，電気的な信頼性が高い内器ユニットを提供できるものである。
【００３６】
そして，分岐開閉器１０５を，内部機器取付板１０１に設けられたガイド部１０１１ｂに沿って，母線の方向にスライドさせながら，該分岐開閉器１０５の電源接続部に設けられた受刃を母線の分岐線１０２２に接続する。このとき，前述した分岐開閉器の底面に形成された凹部に，第一取付部１０１１が係合することにより分岐開閉器が取付固定される。
【００３７】
次に，仕様変更等により，分岐開閉器の個数が変更になった場合について図６及び図７を用いて説明する。例えば，分岐開閉器の個数が１６個（図６）から８個（図７），即ち，回路数が１６回路から８回路に変更になった場合について説明する。この場合，母線を１６回路のものから８回路のものに変更し，内部機器取付板１０１上において，第二の母線接続端子台１０４の取付位置を，図１の第二の母線接続端子台１０４の位置から，分岐開閉器の並設数が少なくなる左方向に，分岐開閉器１つ分の幅だけ移設させて取り付け，前記８回路の母線を取り付けることにより変更作業が完了する。
【００３８】
次に，仕様変更等により，主開閉器の容量が大きくなった場合について図６及び図８を用いて説明する。例えば，主開閉器２０１の容量が１００Ａ（図６）から１５０Ａ（図８）になった場合について説明する。
【００３９】
この場合，電流容量の増加に伴い主開閉器２０１の筐体の大きさが幅方向に大きくなるとともに，図中３００で示した接続電線／接続バーについても電流容量が大きな電線／バーを使用する必要があり，結果として，主開閉器２０１と第一の母線接続端子台１０３との間隔が狭くなり，前記接続電線／接続バーを配線するスペースが確保しづらくなっていた。
【００４０】
このため，接続電線を用いる場合には，該接続電線のうち一方の電線については，前記内部機器取付板１０１の下側に回りこませるように配線を行ったり，また，接続バーを用いる場合には，該接続バーの形状を工夫し，絶縁距離を確保できるような形状に形成するなどして対応を行っていたが，電線の曲げ半径が足りなくなったり，下側を回りこませるスペースが確保できないなど，物理的に配線が不可能な場合があった。
【００４１】
このような場合，内部機器取付板１０１上において，前記第一の母線接続端子台１０３及び，前記第二の母線接続端子台１０４の位置を，図６において前記第一取付部に対応した間隔で複数設けられた第二取付部を用いて，右方向に適宜移設することにより，図８に示したように，接続電線／接続バーを配線するためのスペースが確保でき，容易に配線作業が行えるものである。
【００４２】
また，この状態で，分岐開閉器の個数が増加する場合においても，前記第二の母線接続端子台１０４の位置を，図６において，右方向に適宜移設することにより，分岐開閉器の個数の増加に迅速に対応を行えるものである。
【００４３】
なお、本発明は、実施の形態に限定されることなく、発明の要旨を逸脱しない限りにおいて、適宜、必要に応じて、改良や設計変更は自由であり、例えば、
前記第一の母線接続端子台１０３及び第二の母線接続端子台１０４に形成された引掛部１０３１，１０３２について，前記第一の母線接続端子台１０３及び第二の母線接続端子台１０４を内部機器取付板１０１に取り付けた場合に，該引掛部の開口方向が互いに反対の方向になるように図９に示したように形成してもよい。この場合においても，前述したような仕様変更や回路変更時に，内部機器取付板に対して，第一及び第二の母線接続端子台を容易に着脱可能でありながらも，該第一及び第二の母線接続端子台に母線を取り付けた状態では，内器ユニット組立て時や保管時に，一方の前記母線接続端子台の引掛を外す方向の力を受けた場合においても，他方の引掛部は，より引掛かる方向に力を受けるため前記内部機器取付板から外れることがなく，確実な取り付けが行えるものである。また，前記内部機器取付板１０１に対しての取り付けを前記引掛部による係合に加えて，内部機器取付板１０１と，前記第一の母線接続端子台１０３及び第二の母線接続端子台１０４にそれぞれねじ止めを行うための穴部を設けてねじ止めを行うことにより，強固に内部機器取付板１０１と，前記第一の母線接続端子台１０３及び第二の母線接続端子台１０４を取り付けるように構成してもよい。
【産業上の利用可能性】
【００４４】
本発明は，分電盤内に用いられる内器ユニットに適用可能である。分電盤は，住宅用分電盤のほか，分岐開閉器を並設して配置させる産業用分電盤についても適用することにより，仕様変更等に迅速に対応できる可能性がある。
【図面の簡単な説明】
【００４５】
【図１】内器ユニットの外観図
【図２】内部機器取付板の外観図
【図３】第一の母線接続端子台の外観図
【図４】第二の母線接続端子台の外観図
【図５】母線の外観図
【図６】内器ユニットを分電盤に取り付けた外観図
【図７】分岐回路数が変化した場合の説明図
【図８】主開閉器を変更した場合の説明図
【図９】第一及び第二の母線接続端子台の外観図
【図１０】従来の内器ユニットの説明図
【図１１】従来の内器ユニットの説明図
【符号の説明】
【００４６】
１００  内器ユニット
１０１  内部機器取付板
１０１０ａ  内部機器取付部
１０１０ｂ  母線接続端子台取付部
１０１１  第一取付部
１０１１ｂ  ガイド部
１０１２  第二取付部
１０１３  キャビネットへの取付部
１０２  母線
１０２１  導体接続部
１０２２  分岐線
１０２３  孔
１０２４  孔
１０２５  分岐線構成部
１０３  第一の母線接続端子台
１０３１  引掛部
１０３２  母線支持部
１０３３  相互接続部
１０４  第二の母線接続端子台
１０４１  引掛部
１０４２  母線支持部
１０５  分岐開閉器
２００  主開閉器
３００  接続電線／接続バー
【図１】
0005137238.tif 000002
【図２】
0005137238.tif 000003
【図３】
0005137238.tif 000004
【図４】
0005137238.tif 000005
【図５】
0005137238.tif 000006
【図６】
0005137238.tif 000007
【図７】
0005137238.tif 000008
【図８】
0005137238.tif 000009
【図９】
0005137238.tif 000010
【図１０】
0005137238.tif 000011
【図１１】
0005137238.tif 000012